(57)【要約】【課題】  遊技機等の制御基板を収納すると共に封緘されるケースの封緘装置であって、この封緘装置の破壊により目視で容易に判別できる外観異常を呈する封緘装置を提供する。【解決手段】パチンコ機等の遊技機の制御基板を収容するケース本体とカバー体と、このケース本体とカバー体とを封緘する複数の封緘機構を備えた基板箱において、前記封緘機構は、前記ケース本体とカバー体とに設けられた連結腕を介して突出して支持され互いに対向するキャップ対を１組以上設け、このキャップ対の内部に係合固定される筒状の封緘体とから構成され、前記封緘体は、前記キャップ対内部に形成した係止突起と係合する係止片を有し、この封緘体の内部に小部屋と、この小部屋の開口部を閉止する蓋体とからなる充填室を形成し、この充填室内に飛散物質を封入したこと。【選択図】  図１
2009045137.tif 000002
【特許請求の範囲】
【請求項１】
パチンコ機等の遊技機の制御基板を収容するケース本体とカバー体と、このケース本体とカバー体とを封緘する複数の封緘機構を備えた基板箱において、
前記封緘機構は、前記ケース本体とカバー体とに設けられた連結腕を介して突出して支持され互いに対向するキャップ対を１組以上設け、このキャップ対の内部に係合固定される筒状の封緘体とから構成され、
前記封緘体は、前記キャップ対内部に形成した係止突起と係合する係止片を有し、この封緘体の内部に小部屋と、この小部屋の開口部を閉止する蓋体とからなる充填室を形成し、この充填室内に飛散物質を封入したことを特徴とする基板箱。
【請求項２】
パチンコ機等の遊技機の制御基板を収容するケース本体とカバー体と、このケース本体とカバー体とを封緘する複数の封緘機構を備えた基板箱において、
前記封緘機構は、前記ケース本体とカバー体とに設けられた連結腕を介して突出して支持され互いに対向するキャップ対を１組以上設け、このキャップ対の内部に係合固定される筒状の封緘体とから構成され、
前記封緘体は、前記キャップ対内部に形成した係止突起と係合する係止片を有し、この封緘体の内部に飛散物質を封入したタンク槽又はタンク体又は袋体のいずれかを設けたことを特徴とする基板箱。
【請求項３】
前記飛散物質が粉粒体又は気体又は液体のいずれかであり、前記封緘体の外観がこの飛散物質の有無により変化するように構成したことを特徴とする請求項１，２又は３記載の基板箱。
【請求項４】
前記飛散物質が封緘体の外部に漏出すると発煙又は変色又は気化又は昇華又は発光する物質から構成されていることを特徴とする請求項１，２，３又は４記載の基板箱。
【請求項５】
前記封緘体は、不正な封緘解除操作によりこの封緘体が損壊して飛散物質が漏出するように構成したことを特徴とする請求項１又は２記載の基板箱。
【発明の詳細な説明】
【技術分野】
【０００１】
本発明は、パチンコ機やスロットマシン等の遊技機を制御する制御基板を収納し、前記遊技機本体の内部に配置される基板箱の不正操作防止機構に関する。
【背景技術】
【０００２】
パチンコ機やスロットマシン等の遊技機は、出玉状況や絵柄合わせの難易性等が制御基板により制御されている。この制御基板は、開放防止機構を備えた基板箱に収納された状態で遊技機の裏面に固定され、この基板箱を開封して制御基板が交換されないようになっている（例えば、特許文献１参照）。
【０００３】
詳しくは、図７に示す基板箱の概略図のように、ケース本体１とカバー体３とから基板箱Ａは構成され、前記ケース本体１とカバー体３の周囲には互いに対向して配置された複数のキャップ８，９がそれぞれ設けられた封緘機構Ｆが形成されている。この封緘機構Ｆのキャップ８，９とを連結する連結部材７は、略円筒形状に形成されその両端側に係止突起７ａ，７ｂが片持ち状で揺動可能に設けられており、前記ケース本体１とカバー体３とを封緘するための鍵となっている。
【０００４】
図８（Ａ）に示すように、前記ケース本体１側に設けられたキャップ８には前記連結部材７の係止突起７ｂと係合する係止突起８ａが形成されている。前記カバー体３側に設けられたキャップ９には前記連結部材７の係止突起７ａと係合する係止突起９ａが設けられている。
【０００５】
次に、図８（Ａ）及び（Ｂ）を参照して連結部材７がキャップ８，９と係合して基板箱Ａが封緘状態となる様子を説明する。先ず、前記連結部材７を例えばケース本体１側のキャップ８に押し込むと、連結部材７の係止突起７ｂとキャップ８の係止突起８ａとが係合して固定される。次いで、カバー体３を閉じると、このカバー体３に固定されているキャップ９に前記連結部材７が押し込まれ、この連結部材の係止突起７ａがキャップ９の係止突起９ａとが係合して固定される。このように連結部材７がキャップ８，９に係合された状態となると、前記キャップ８とキャップ９とが連結部材７を介して恰も一体に連結された状態となって基板箱Ａが閉止される。遊技機メーカーより遊技機が出荷される際には、基板箱Ａに設けられた複数の封緘機構Ｆより第１の封緘機構ａが使用されている。
【０００６】
前記キャップ８は連結腕４ｂを介してケース本体１と、キャップ９は連結腕４ａを介してカバー体３とそれぞれ接続されており、基板箱Ａを開封するときは第１の封緘機構ａの連結腕４ａを切断して、カバー体３よりキャップ９を分離すると基板箱Ａの封緘が解除される。
【０００７】
通常、基板箱Ａは封緘状態で保持され、基板は操作不能に保持されている。そして、３ヶ月毎に警察官の立ち会いの下で実施される定期検査の際に、遊技機メーカーの技術者が前記第１の封緘機構ａの連結腕４ａを切断して基板箱Ａが開封され、制御基板２の検査が行われている。
【０００８】
前記定期検査に制御基板２が合格すると、第２の封緘機構ｂが使用されて基板箱Ａが封緘される。このとき、出荷時に使用された第１の封緘機構ａの連結部材７はキャップ８，９に固定されているので、遊技機メーカーの技術者が第２の封緘機構ｂのキャップ８に新しい連結部材をいれている。
【０００９】
この次の定期検査では、第２の封緘機構ｂの連結腕４ａが切断され、第３の封緘機構ｃにより再封緘される。このように封緘機構Ｆを所定の順序で使用し、かつ、隣接する封緘機構を順に使用することにより、基板箱に貼り付けられた検査ラベルＬに記載されている検査記録と使用中の封緘機構の位置とが見た目で分かりやすいようになっている。
【００１０】
また、第三者が基板箱Ａを開封すると再封緘できないように、前記連結部材７は遊技機メーカーの技術者しか入手できない特殊部品となっている。
【００１１】
（不正発見）
基板箱Ａを開封するためにニッパで切断された連結腕４ａには、Ｖ字形の切断部ｎが形成される。この切断部ｎから二分された連結腕４ａを接着剤で接着するには距離がありすぎるので、この連結腕４ａは切断された状態となっており、目視で容易に切断されていることが分かる。
【００１２】
即ち、連結腕４ａが切断されているにもかかわらず、これに隣接する封緘機構に連結部材７が使用されていないものは、不正に開封されたものであることが分かるのである。
【００１３】
従って、パチンコホールでは、基板箱Ａを目視によってチェックする検査が毎日行われており、不正に制御基板２が交換された遊技機が使用されることがないようにしている。
【００１４】
（問題点）
前記連結腕４ａを切断しても目視で識別できないようにするには、例えば合成樹脂用の溶断機の極薄の刃で連結腕４ａを切断する方法があるが、溶断機を持ち込まなければならないので現実的ではない。
【００１５】
そこで、連結腕４ａを切断することなく封緘機構を破壊する手段として、連結腕４ａと連結腕４ｂとの間を切断する手口が用いられるようになった。これは、遊技機に固定されている基板箱Ａは、この基板箱Ａの厚さ方向が水平状態となっており、前記手口は厚さ方向に直交（矢印Ｘ方向）するようにして切断するものであり、切断された連結部材７とキャップ８，９を接着剤で固定して封緘されているように偽装するので、遊技機に基板箱Ａが取り付けられた状態で目視によりチェックするのが困難であった。
【００１６】
すなわち、前記手口により基板箱Ａが開封された場合、目視検査ではその不正行為を発見することが困難であるという問題がある。
【特許文献１】特開２００４−２０９２３８号公報
【発明の開示】
【発明が解決しようとする課題】
【００１７】
本発明は、遊技機の制御基板を収納する基板箱の連結部材が巧妙に破壊されて制御基板を交換されてしまうことを防止し、更に不正の有無を容易に発見することのできる不正操作防止機構を提供するものである。
【課題を解決するための手段】
【００１８】
本発明は前記したような従来の問題点を解決するためになされたものであって、本発明に係る不正操作防止機構は、
１）パチンコ機等の遊技機の制御基板を収容するケース本体とカバー体と、このケース本体とカバー体とを封緘する複数の封緘機構を備えた基板箱において、前記封緘機構は、前記ケース本体とカバー体とに設けられた連結腕を介して突出して支持され互いに対向するキャップ対を１組以上設け、このキャップ対の内部に係合固定される筒状の封緘体とから構成され、前記封緘体は、前記キャップ対内部に形成した係止突起と係合する係止片を有し、この封緘体の内部に小部屋と、この小部屋の開口部を閉止する蓋体とからなる充填室を形成し、この充填室内に飛散物質を封入したことを特徴としている。
２）パチンコ機等の遊技機の制御基板を収容するケース本体とカバー体と、このケース本体とカバー体とを封緘する複数の封緘機構を備えた基板箱において、前記封緘機構は、前記ケース本体とカバー体とに設けられた連結腕を介して突出して支持され互いに対向するキャップ対を１組以上設け、このキャップ対の内部に係合固定される筒状の封緘体とから構成され、前記封緘体は、前記キャップ対内部に形成した係止突起と係合する係止片を有し、この封緘体の内部に飛散物質を封入したタンク槽又はタンク体又は袋体のいずれかを設けたことを特徴としている。
３）前記飛散物質が粉粒体又は気体又は液体のいずれかであり、前記封緘体の外観がこの飛散物質の有無により変化するように構成したことを特徴としている。
４）前記飛散物質が封緘体の外部に漏出すると発煙又は変色又は気化又は昇華又は発光する物質から構成されていることを特徴としている。
５）前記封緘体は、不正な封緘解除操作によりこの封緘体が損壊して飛散物質が漏出するように構成したことを特徴としている。
【発明の効果】
【００１９】
（不正の発見）
キャップの合わせ面より連結部材を切断して封緘を解除する手口を実施すると、連結部材が完全に切断されて切り離される前に飛散物質が漏出するので、特に着色されたり有色の飛散物質の有無により連結部材の外観が大きく変化するので、切断されて二分された連結部材７とキャップ８，９を接着剤で固定しても、連結部材の外観の差異によって基板箱が不正に開封されたことが目視検査で容易にチェックすることができる。
【００２０】
即ち、キャップを接続している連結腕を切断すれば、この連結腕の破壊痕跡により不正が発見され、連結部材を切断すれば該連結部材の外観が変化するので、従来の目視検査であっても基板箱が不正に開封されたことを確実に発見できるようになる。よって、封止箱を遊技機の裏面から取り外してキャップの合わせ面をチェックすることなく不正の有無を識別できるので、検査にかかる手間と時間を短縮することができる。
【００２１】
（従来の封止箱が使用できる）
新たな封止箱を製造することなく、従来形の封止箱を使用することができるので、連結部材のみを交換するだけで新規な封緘装置となる。コストがかからない。
【００２２】
（抑止効果）
不正操作の初期段階で連結部材より飛散物質が漏出するので、不正を行う者の作業を中断させ、続行させる気を失わせる。
【発明を実施するための最良の形態】
【００２３】
以下、図面を参照して本発明による不正操作防止装置の実施態様を説明する。
【００２４】
（実施例１）
（構成）
本発明は、従来の基板箱Ａを使用することができる上に、不正に封緘が解除されたことが目視検査で容易に発見できるようにしたものである。
【００２５】
本発明にかかる連結部材１０を図１と図２に示す。連結部材１０は、ポリプロピレン等の合成樹脂を使用して一体成形したもので、略円筒形状の筒本体１０ｃと、該筒本体１０ｃの一端側に直径方向に形成された一対の係止突起１０ａと、他端側に直径方向に形成された一対の係止突起１０ｂとを有している。
【００２６】
前記筒本体１０ｃ内には、下端側が閉止され上端側を蓋体１３により閉止される気密室１０ｅが形成され、この気密室１０ｅに飛散物質が充填される。前記蓋体１３は、気密室１０ｅの内壁に形成された図示しない係合凹部に閉止部１３ａが嵌合して引き抜きできないようになっている。
【００２７】
前記筒本体１０ｃに形成したＵ字形状の溝部１１ｂ，１１ｃにより係止突起１０ａ，１０ｂが片持ち状に支持され、径方向内方に弾性変形して揺動可能に形成されている。また、前記気密室１０ｅは、係止突起１０ａ，１０ｂが径方向内方に弾性変形しやすいように、この係止突起１０ａ，１０ｂ近傍が擂り鉢状部１５ｂが形成され縮径されている。
【００２８】
（飛散物質について）
前記飛散物質６は、粉粒体又は気体又は液体から選ばれたものであって、粉粒体の場合は、タルク、炭酸カルシウム等の流動性に優れたものを使用することができ、また、赤色や緑色等の目立つ色に着色されているのが好ましい。
【００２９】
気体の場合は、黄緑色の塩素ガスや赤褐色の二酸化窒素等の有色ガスを使用することができる。
【００３０】
液体の場合は食紅等の色素で着色された水、低沸点液体（クロロフルオロカーボン）等が使用される。
【００３１】
即ち、飛散物質の有無により連結部材の外観が変化するものであればよいのであり、前述のものに限定されるものではない。例えば、酸素検知剤を含浸させた布や紙を連結部材１の円筒１ａ内に気密状態に入れておくこともできる。
【００３２】
（基板箱の閉止・封緘）
次に、基板箱Ａの封緘操作について説明する。先ず、ケース本体１に設けられたキャップ８内に連結部材１０の一端側を挿入する。係止突起１０ｂがキャップ８の係止突起８ａにより内方に押し込まれて弾性変形してこの係止突起８ａを乗り越え、凹部８ｂ内に入り込み、前記係止突起１０ｂと係止突起８ａとが対向して係合し、この状態で連結部材１０は引き抜き不能にキャップ８内に保持される。
【００３３】
ケースカバー３を閉止すると、連結部材１０の他端側にキャップ９に覆い被さるようにして、このキャップ９の中に連結部材１０の他端側が挿入される。連結部材１０の他端側の係止突起１０ａがキャップ９の係止突起９ａにより内片に押し込まれて弾性変形してこの係止突起９ａを乗り越え、凹部９ｂ内に入り込み、前記係止突起１０ａと係止突起９ａとが対向して係合し、この状態で連結部材１０が引き抜き不能にキャップ９内に保持され、前記キャップ８とキャップ９とが連結部材１０を介して連結されて基板箱Ａが開封不能となる。
【００３４】
この封緘状態で基板箱Ａが遊技機の裏面に取り付けられ、固定される。
【００３５】
（基板箱の不正開封）
次に、不正操作による基板箱Ａの開封操作について説明する。遊技機に固定されている基板箱Ａを取り外し、連結部材１０が封入されて封緘状態となっているキャップ８，９の合わせ面ｆに沿って矢印Ｘのように連結部材１０を二分するように糸鋸で切断作業が行われる。
【００３６】
連結部材１０が傷付けられると、これが完全に切断されて二分される前に飛散物質６が漏出する。この飛散物質６はキャップ８の内外へ漏出して不正操作が行われている場所にも漏出する。
【００３７】
完全に切断された連結部材１０の下側（キャップ８側）部分にはある程度の飛散物質６が残留することになるが、遊技機に基板箱Ａを取り付けた状態は、図４に示すように基板箱の厚さ方向が水平となる向きとなるので、キャップ８とキャップ９との間の切断部ｋ２を介して飛散物質６は外側に排出される。
【００３８】
本実施例においては、封緘体が切断されて飛散物質が漏出するようにしたが、キャップを捻ったり引っ張ったりという行為等の不正な封緘解除操作により封緘体に通常とは異なる力によってこの封緘体が損壊するようにして飛散物質を漏出させてもよい。
【００３９】
例えば、封緘体をポリスチレン樹脂やポリ塩化ビニル樹脂等の比較的脆性の合成樹脂製とし、この封緘体を切断しようとすると全体的にひび割れるようにしてもよい。これにより、封緘体が破壊される際に全体的にひびを生ずるので、飛散物質が一気に漏出して作業者に驚きを与え、切断作業を中断させる効果を奏する。
【００４０】
また、封緘体に切り欠き部や肉薄部などの弱め部を設け、封緘体を比較的容易に損壊するようにできる。或いは、飛散物質を大気圧よりも高圧状態で封入し、封緘体の損壊に伴って外部に噴出させることもできる。
【００４１】
（実施例２）
前記実施例は筒本体の内壁の一部を飛散物質を保持する部屋としたものであるが、これの他には、例えば、図５に示す連結部材は、筒本体２０ｃと飛散物質６が充填されるカプセル２４とを別体としたものであって、前記筒本体２０ｃ内にカプセル２４を内設して使用されるものである。前記カプセル２４は、前記筒本体２０ｃの内壁とほぼ同径に形成された大径部２５ｃを有し、この大径部２５ｃの上下にそれぞれ縮径部１５ｂを介して小径部１５ａが形成され、この小径部１５ａの先端の開口部が蓋部材２３により気密に閉止されている。前記大径部２５ｃは、筒本体２０ｃの内壁に形成された図示しない係合凹部に嵌合して取り外されないようになっている。
【００４２】
このように構成された連結部材２０は、カプセル２４と筒本体２０ｃとが別体であり、筒本体２０ｃは共通で使用することができるので、液体用や気体用といった種々のカプセル２４を準備して各種飛散物質６の充填された連結部材２０を簡単に形成することができる。
【００４３】
また、カプセル２４を比較的大型化できるので、連結部材２０が破壊されたときの飛散物質６の漏出量が多くなり、切断を行う者に対しての警告としての効果が大きくなる。
【００４４】
前記カプセルの他には、筒本体内部に飛散物質が封入された可撓性合成樹脂製の袋体を設けることができる。この袋体は、筒本体の内壁面に沿って前記袋体の両端側にまで設けることができるものであり、飛散物質の封入量を増加させることができるものである。
【００４５】
また、飛散物質として瞬間接着剤を使用することで、糸鋸を筒本体やキャップと接着させて操作不能としたりしてもよい。
【００４６】
本発明は、連結部材が切断されると飛散物質を漏出させるようにしたものであり、飛散物質の有無により連結部材の外観を変化させるようにしたものであるので、この範囲で保持室型やカプセル型や内筒型等に限定されることなく変更可能である。
【００４７】
（本発明の効果）
本発明により、連結部材の外観が不正の前後で変化するので、毎日行われる外観検査で不正の行われた封止箱を容易に発見することができ、この不正が行われた遊技機が使用されることで損害が生ずることを防止できる。
【００４８】
また、従来使用されている基板箱に適用できるので、安価である。
【００４９】
本発明により、基板箱を閉止状態とする連結部材を切断すると飛散物質が漏出し、連結部材の外観が前記飛散物質の有無により変化するので、従来から行われている目視検査で不正の行われた遊技機を簡単に発見できるようになる。
【００５０】
また、従来から使用されている封止箱に連結部材を使用することができるので、従来の封止箱を廃棄して新規に製造するコストがかからないので安価である。
【図面の簡単な説明】
【００５１】
【図１】本発明に係る封緘体の概略構成斜視図である。
【図２】図１の断面図である。
【図３】本発明に係る封緘機構の要部拡大断面図である。
【図４】封緘機構が破壊された後に遊技機等に固定された封緘機構。
【図５】本発明に係る他の封緘体の概略構成斜視図である。
【図６】図５の断面図。
【図７】従来の基板箱を示す図である。
【図８（Ａ）】従来の封緘機構の要部拡大断面図であり、封緘前を示す。
【図８（Ｂ）】従来の封緘機構の要部拡大断面図であり、封緘後を示す。
【符号の説明】
【００５２】
Ａ  基板箱
Ｆ  封緘
１  ケース本体
２  制御基板
３  カバー体
７  封緘体
８  充填室
【図１】
2009045137.tif 000003
【図２】
2009045137.tif 000004
【図３】
2009045137.tif 000005
【図４】
2009045137.tif 000006
【図５】
2009045137.tif 000007
【図６】
2009045137.tif 000008
【図７】
2009045137.tif 000009
【図８（Ａ）】
2009045137.tif 000010
【図８（Ｂ）】
2009045137.tif 000011